(57)【要約】【課題】大量の薬剤を必要とする土壌面や木材への薬剤処理でシロアリを防除するのではなく、シロアリの移動を制御して、シロアリの進入を阻止し、また、シロアリ防除剤に誘導して殺虫または忌避させることにより、最低限度の薬剤でシロアリを効果的に防除することができるシロアリ防除技術の提供。【解決手段】建築物床下の基礎内面及び／又は土壌面に、シロアリ誘導ガイドとしての突ライン部材及び／又は溝ラインを設けて、このシロアリ誘導ガイドに沿ってシロアリを移動させ、シロアリ誘導ガイドの途中に設けたシロアリ防除剤によりシロアリを殺虫又は忌避させる。【選択図】      図１
2005021023.tif 000002
【特許請求の範囲】
【請求項１】
建築物床下の基礎内面及び／又は土壌面に、シロアリ誘導ガイドとしての突ライン部材及び／又は溝ラインを設けて、このシロアリ誘導ガイドに沿ってシロアリを移動させることにより、このシロアリ誘導ガイドを乗り越えるシロアリの進入を阻止させることを特徴とするシロアリ防除方法。
【請求項２】
請求項１記載のシロアリ防除方法において、シロアリ誘導ガイドの途中にシロアリ防除剤を設け、シロアリ誘導ガイドに沿ってシロアリを移動させながらシロアリ防除剤に誘導させてシロアリを殺虫または忌避させることを特徴とするシロアリ防除方法。
【請求項３】
請求項１又は２記載のシロアリ防除方法において、シロアリ誘導ガイドの少なくとも一部にシロアリ防除剤を含浸又は表面に塗布させ、このシロアリ誘導ガイドに沿ってシロアリを移動させながらシロアリ防除剤に接触させてシロアリを殺虫または忌避させることを特徴とするシロアリ防除方法。
【請求項４】
請求項１又は２又は３記載のシロアリ防除方法に用いるシロアリ誘導ガイドであって、突ライン部材の高さ及び溝ラインの深さが少なくとも２ｍｍ以上に形成されていることを特徴とするシロアリ誘導ガイド。
【発明の詳細な説明】
【０００１】
【発明の属する技術分野】
本発明はシロアリ防除方法及びそれに用いるシロアリ誘導ガイドに関する。
【０００２】
【従来の技術】
従来、シロアリ（特に、地下シロアリ）の進入による被害を防止する方法としては、建築物床下の土壌面に薬剤を散布したり、又、柱や土台などの木材に薬剤を注入したり吹き付けたりする処理が一般的である（例えば、特許文献１、特許文献２、特許文献３、特許文献４参照）。
【０００３】
【特許文献１】
特開平９−１７２９３４号公報
【特許文献２】
特開平１０−０５６９３５号公報
【特許文献３】
特開平１１−０８９５００号公報
【特許文献４】
特開２００２−３１５４９３号公報
【０００４】
【発明が解決しようとする課題】
しかしながら、シロアリの移動経路を事前に特定できないため、この従来の方法では、薬剤処理が不十分な箇所では進入を阻止できない。
このため、シロアリを防除するには、大量の薬剤を使用しなければならないという問題があった。
また、作業者は、建築物床下という閉鎖的空間での薬剤処理作業を強いられるため、暴露の危険にさらされ、保護具を着用していても安全上の問題が残るという問題があった。
【０００５】
本発明は、大量の薬剤を必要とする土壌面や木材への薬剤処理でシロアリを防除するのではなく、シロアリの移動を制御して、シロアリの進入を阻止し、また、シロアリ防除剤に誘導して殺虫または忌避させることにより、最低限度の薬剤でシロアリを効果的に防除することができるシロアリ防除方法及びそれに用いるシロアリ誘導ガイドを提供することを課題としている。
【０００６】
【課題を解決するための手段】
上記の課題を解決するために、本発明のシロアリ防除方法（請求項１）は、
建築物床下の基礎内面及び／又は土壌面に、シロアリ誘導ガイドとしての突ライン部材及び／又は溝ラインを設けて、このシロアリ誘導ガイドに沿ってシロアリを移動させることにより、このシロアリ誘導ガイドを乗り越えるシロアリの進入を阻止させる構成とした。
なお、本発明で、基礎内面とは、基礎壁内面及び基礎床面を含む。
【０００７】
又、本発明のシロアリ防除方法（請求項２）は、
前記シロアリ防除方法（請求項１）において、シロアリ誘導ガイドの途中にシロアリ防除剤を設け、シロアリ誘導ガイドに沿ってシロアリを移動させながらシロアリ防除剤に誘導させてシロアリを殺虫または忌避させる態様とした。
【０００８】
又、本発明のシロアリ防除方法（請求項３）は、
前記シロアリ防除方法（請求項１又は２）において、シロアリ誘導ガイドの少なくとも一部にシロアリ防除剤を含浸又は表面に塗布させ、このシロアリ誘導ガイドに沿ってシロアリを移動させながらシロアリ防除剤に接触させてシロアリを殺虫または忌避させる態様とした。
【０００９】
又、本発明のシロアリ誘導ガイド（請求項４）は、
前記シロアリ防除方法（請求項１又は２又は３）に用いるシロアリ誘導ガイドであって、突ライン部材の高さ及び溝ラインの深さが少なくとも２ｍｍ以上に形成されている構成とした。
【００１０】
【発明の実施の形態】
シロアリは木材等の餌を探知しながら四方八方に移動していくが、進行方向に障害物があると、その障害物の縁に沿って移動していく習性がある。このことから、移動範囲に障害物を配置すると、その障害物に沿って移動していくことが、発明者らの研究で明らかになった。
このシロアリの移動習性を利用して、建築物床下にシロアリ誘導ガイド（突ライン部材及び／又は溝ライン）を配置することで、シロアリの移動を制御して、シロアリの進入を阻止し、又、シロアリ防除剤（殺虫剤、忌避剤、毒餌等）を用いて防除することが可能となる。
【００１１】
以下、本発明の実施の形態について、図面に示す実施例により説明する。
図１は本発明の第１実施例にかかるシロアリ防除方法を構成した建築物床下の斜視図である。
この第１実施例では、基礎壁内面２０にシロアリ誘導ガイド１を構成する突ライン部材１０を垂直方向及び水平方向に配設させると共に、この突ライン部材１０にシロアリ防除剤を塗布させている。シロアリ防除剤としては、殺虫性能を有するクロロニコチニル系、ピロール系、フェニルピラゾール系のものを使用する。
【００１２】
従って、基礎壁内面２０を這い上がって来たシロアリは、突ライン部材１０によって行く手を阻まれ、この突ライン部材１０に沿って移動する。
これにより、シロアリが突ライン部材１０を乗り越えて土台５等に進入するのを阻止することができるし、殺虫成分がシロアリに付着するため、殺虫が可能となる。
【００１３】
前記突ライン部材１０は、基本的には、基礎などの設置面から垂直方向に２ｍｍ以上の厚さがあれば良く、また、１０ｍｍ以下であれば、床下空間における施工性には問題ない。
突ライン部材１０の断面形状については、１辺が２ｍｍ以上の正方形としても良いし、図２に示すような板厚２ｍｍ以上の扁平角形、図３のような板厚２ｍｍ以上のコ字形状等に形成してもよい。この場合、突ライン部材１０の立面が設置面に対して垂直か、若しくは９０度に満たない角度に開くのが好ましい。
又、図４に示すように、アリ返しとして作用するような突出部１０ａを形成して、接触時間を増やすことが好ましい。この突出部１０ａの形状は折り返しや張り出しとしても良い。
突ライン部材１０を基礎壁内面２０に配設する手段としては、ビスやコーチスクリューで締結しても良いし、粘着テープや接着剤で固着させても良い。又、この粘着テープや接着剤にシロアリ防除剤を含有させるようにしてもよい。
なお、突ライン部材１０の材質は、プラスチック、樹脂、紙、粘土、金属、コンクリートなど何でも良い。
【００１４】
次に、図５は本発明の第２実施例にかかるシロアリ防除方法を構成した建築物床下の斜視図である。
この第２実施例では、基礎壁内面２０に突ライン部材１０とシロアリ防除剤３（図５において平行斜線で示す領域）を配設している。
従って、この突ライン部材１０に沿ってシロアリを移動させて、シロアリ防除剤３に誘導させ、シロアリ防除剤３に到達したシロアリを殺虫または忌避することが可能となる。
【００１５】
シロアリ防除剤３としては、シロアリ殺虫成分（クロロニコチニル系、ピロール系、フェニルピラゾール系）及び／又は忌避成分（ピレスロイド系、カーバナイト系）を含んだシート状とし、これを基礎壁内面２０の上方に配設して、基礎床面２１からシロアリ防除剤３まで、突ライン部材１０を垂直に配設して、シロアリをシロアリ防除剤３に誘導するようにしている。
なお、本実施例では、突ライン部材１０を垂直方向にだけ配設した形態としているが、シロアリ防除剤３へ誘導できる構成であれば良く、突ライン部材１０を垂直方向と水平方向に単独又は組合せて配設しても良い。
【００１６】
次に、図６は本発明の第３実施例にかかるシロアリ防除方法を構成した建築物床下の斜視図である。
この第３実施例では、シロアリ誘導ガイド１として溝ライン１１を用い、この溝ライン１１の内面にシロアリ殺虫性能を有するシロアリ防除剤３を塗布したものになっている。この溝ライン１１は、基礎壁内面２０に直接に形成されるもので、基礎を形成した後、後加工で溝ライン１１を形成しても良いし、又、基礎の型枠成形時に溝加工を施すようにしてもよい。
【００１７】
従って、この溝ライン１１にシロアリが侵入すると、この溝ライン１１に沿ってシロアリを移動させながらシロアリ防除剤３に接触させて、シロアリを殺虫することが可能となる。
なお、本実施例では、溝ライン１１の断面形状を凹形にしているが、シロアリの移動を誘導できる構成であれば良く、基礎壁内面２０に対して溝壁面が垂直か、若しくは９０度に満たない角度にするのが好ましい。
【００１８】
次に、図７は本発明の第４実施例にかかるシロアリ防除方法を構成した建築物床下の斜視図である。
この第４実施例では、シロアリ誘導ガイド１としての突ライン部材１０を、土壌面２１ａ及び基礎壁内面２０に網目状に配設し、土壌面２１ａ上の突ライン部材１０の交差部分にシロアリ防除剤として殺虫性能を有する毒餌３ａを配設すると共に、基礎壁内面２０の突ライン部材１０で囲まれる壁面に、殺虫性能及び／又は忌避性能を有するシロアリ防除剤３（図７において平行斜線で示す領域）を塗布したものである。
なお、毒餌としては、トリフルムロン、ジフルベンズロン、テフルベンズロン、ヘキサフルムロン、ノバルロン、ルフェヌロン、フルフェヌクスロン、クロルフルアズロン、メトプレン、ハイドロプレン、ピリプロキシフェン、フェノキシカルブを使用する。
従って、土壌面２１ａから基礎壁内面２０に亘る範囲でシロアリの移動を制御させて毒餌３ａやシロアリ防除剤３に誘導し、殺虫または忌避の効果を高めることが可能となる。
この実施例では、土壌面２１ａに突ライン部材１０を配設しているが、基礎がベタ基礎の場合には、基礎床面及び基礎壁内面にシロアリ誘導ガイドを配設することができる。
【００１９】
なお、本発明のシロアリ防除方法において、シロアリ誘導ガイドにシロアリ防除剤を塗布させる場合、シロアリ誘導ガイドへの直接の塗布が難しいものは、シロアリ防除剤を塗布したテープや部材をシロアリ誘導ガイドに付着させても良い。
また、シロアリ誘導ガイドの表面にザラツキがあると、シロアリが乗り易くなる可能性が高くなる。そこで、シロアリ誘導ガイドの表面を、できるだけ抵抗がなく滑らかな状態に形成すれば、乗り越えにくくできるため、より好ましい。
【００２０】
又、シロアリの移動をシロアリ誘導ガイドで効果的に制御させるために、シロアリ誘導ガイドを基礎内面の全体に張り巡らせるようにしてもよいが、シロアリはシロアリ誘導ガイドに沿って移動するため、水廻りなどのシロアリが密集すると推測される付近に配置する等、シロアリ誘導ガイド１の配置を工夫することでも効果的な防除ができる。
又、シロアリ誘導ガイドの配置については、床下基礎壁内面２０に網目状にするのが好ましく、仮に、１つのシロアリ誘導ガイド１を乗り越えたとしても他のシロアリ誘導ガイドとの接触は避けられない状態にするのが好ましい。
なお、本発明のシロアリ防除方法と併用して、床下地面や地中にシロアリ捕獲装置を配設する既存の防除方法と組合せても良し、上記した各実施例の構成を組合せた構成としてもよい。
【００２１】
【発明の効果】
以上のように本発明によれば、従来のシロアリ防除方法とは異なり、薬剤使用量を大幅に減少させることができるし、また、床下内で作業する作業者の薬剤暴露が極端に減少し、安全性を格段に向上させることができるという有利な効果が得られる。
【図面の簡単な説明】
【図１】本発明の第１実施例にかかるシロアリ防除方法を構成した建築物床下の斜視図である。
【図２】シロアリ誘導ガイドとしての突ライン部材を示す斜視図である。
【図３】シロアリ誘導ガイドとしての突ライン部材の他例を示す斜視図である。
【図４】シロアリ誘導ガイドとしての突ライン部材の他例を示す斜視図である。
【図５】シロアリ誘導ガイドとしての突ライン部材の他例を示す斜視図である。
【図６】本発明の第３実施例にかかるシロアリ防除方法を構成した建築物床下の斜視図である。
【図７】本発明の第４実施例にかかるシロアリ防除方法を構成した建築物床下の斜視図である。
【符号の説明】
１  シロアリ誘導ガイド
３  シロアリ防除剤
３ａ  毒餌
５  土台
１０  突ライン部材
１０ａ  突出部
１１  溝ライン
２０  基礎壁内面
２１  基礎床面
２１ａ  土壌面
【図１】
2005021023.tif 000003
【図２】
2005021023.tif 000004
【図３】
2005021023.tif 000005
【図４】
2005021023.tif 000006
【図５】
2005021023.tif 000007
【図６】
2005021023.tif 000008
【図７】
2005021023.tif 000009